(57)【特許請求の範囲】
【請求項１】
第１種類のシートとしての透明なシートおよび透明でない第２種類のシートという種類の異なる画像形成用紙に原稿画像を形成することができる画像形成手段と、
原稿画像が形成された画像形成用紙が排出されるべき複数の排出部と、
この複数の排出部のうちのいずれかまたはすべてに原稿画像が形成された画像形成用紙を排出させる排出手段と、
プレゼンテーションモードを設定するプレゼンテーションモード設定手段と、
両面に原稿画像を形成する両面モードを設定する両面モード設定手段と、
プレゼンテーションモード設定手段でプレゼンテーションモードが設定され、かつ両面モード設定手段で両面モードが設定されている場合には、
上記画像形成手段および排出手段を制御し、第１種類のシートには片面だけに原稿画像を形成して当該第１種類のシートを、第２種類のシートの合紙を添付して、上記排出部のうち所定の１つに排出させ、
合紙とする以外の第２種類のシートに対しては、片面に原稿画像を形成し、中間トレイに収容し、次いでさらにもう一方の片面に原稿画像を形成して、両面に原稿画像を形成した後、当該第２種類のシートを上記所定の１つの排出部以外の排出部に仕分けして排出させる制御手段と
を含むことを特徴とする画像形成装置。
【発明の詳細な説明】
【０００１】
【産業上の利用分野】
この発明は、コピー機などの画像形成装置に関する。
【０００２】
【従来の技術】
従来から、原稿を光学的に走査し、この走査に基づいて感光体に原稿に対応した静電潜像を形成し、この静電潜像をトナー像に現像した後、そのトナー像をコピー紙に転写するようにしたコピー機が広く用いられている。このようなコピー機には、必要に応じて、原稿を１枚ずつ自動的に供給する原稿自動供給装置、または１枚の原稿画像を複数枚のコピー紙にコピーする際に各コピー紙を複数の排紙トレイに仕分けして排出するソータが備えられる。
【０００３】
上記のようなコピー機では、原稿画像を普通のコピー紙（以下「普通紙」という）にコピーすることができる他に、ＯＨＰ（Overhead Projector）用の透明シート（以下「ＯＨＰシート」という）に対してもコピーすることができる。
ＯＨＰシートに対して原稿画像をコピーする場合、ＯＨＰシートは透明なので、そのままではコピーされた原稿画像は非常に見にくい。そのため、通常では、ＯＨＰシートのうら面側に合紙を自動的に添付できる「ＯＨＰ＋合紙」モードが設定される。「ＯＨＰ＋合紙」モードが設定されると、ＯＨＰシートのコピーに先立って先ず合紙が排紙トレイに排出され、その後に原稿画像がコピーされたＯＨＰシートが同じ排紙トレイに排出される。その結果、ＯＨＰシートのうら面側に合紙を添付できる。
【０００４】
ところで、原稿画像がコピーされたＯＨＰシートは、何らかのプレゼンテーションを行うための資料として用いられる場合がほとんである。したがって、一般には、ＯＨＰシートにコピーした原稿画像と同じ原稿画像を参加人数分だけ普通紙にコピーする。このとき、一般には、「ＯＨＰ＋合紙」モードによるＯＨＰシートへのコピーを行った後、通常モードによって必要部数の普通紙コピーを行う必要がある。
【０００５】
しかしながら、このような作業は非常に煩雑なので、本出願人は、先に出願した特願平５−１８０３２１号の明細書において、ＯＨＰシートに原稿画像をコピーするとともに当該ＯＨＰシートをそのうら面側に合紙を添付させて排紙トレイに排出し、さらに上記原稿画像を普通紙に対して必要部数だけコピーし、当該普通紙を仕分けして排紙トレイに排出することができるＯＨＰプレゼンテーションモードを設定できるコピー機を提案している。このコピー機によれば、ＯＨＰシートだけでなく、普通紙にも同時に原稿画像をコピーでき、しかも原稿画像がコピーされた普通紙は仕分けして排紙トレイに排出されるので、作業の大幅な簡素化を図ることができる。
【０００６】
【発明が解決しようとする課題】
ところで、ＯＨＰプレゼンテーションモードを設定する際には、一般に、ＯＨＰシートの性質上、コピーモードとして片面コピーモードが設定される。そのため、ＯＨＰシートだけでなく、普通紙に原稿画像をコピーする場合にも、原稿画像は片面にのみコピーされることになる。
【０００７】
しかしながら、原稿画像を普通紙にコピーさせる場合、普通紙の片面にのみ原稿画像を形成するだけでなく、普通紙の両面に原稿画像をコピーすることができれば、普通紙の節約にもなり好ましい。
そこで、この発明の目的は、上述の技術的課題を解決し、第１種類のシートであるＯＨＰシートに原稿画像を形成して排紙トレイに排出し、さらに上記原稿画像を第２種類のシートである普通紙に形成して当該普通紙を仕分けして排紙トレイに排出するプレゼンテーションモードが設定されている場合において、普通紙の両面に原稿画像を形成することができる画像形成装置を提供することにある。
【０００８】
【課題を解決するための手段】
上記目的を達成するための請求項１記載の画像形成装置は、第１種類のシートとしての透明なシートおよび透明でない第２種類のシートという種類の異なる画像形成用紙に原稿画像を形成することができる画像形成手段と、原稿画像が形成された画像形成用紙が排出されるべき複数の排出部と、この複数の排出部のうちのいずれかまたはすべてに原稿画像が形成された画像形成用紙を排出させる排出手段と、プレゼンテーションモードを設定するプレゼンテーションモード設定手段と、両面に原稿画像を形成する両面モードを設定する両面モード設定手段と、プレゼンテーションモード設定手段でプレゼンテーションモードが設定され、かつ両面モード設定手段で両面モードが設定されている場合には、上記画像形成手段および排出手段を制御し、第１種類のシートには片面だけに原稿画像を形成して当該第１種類のシートを、第２種類のシートの合紙を添付して、上記排出部のうち所定の１つに排出させ、合紙とする以外の第２種類のシートに対しては、片面に原稿画像を形成し、中間トレイに収容し、次いでさらにもう一方の片面に原稿画像を形成して、両面に原稿画像を形成した後、当該第２種類のシートを上記所定の１つの排出部以外の排出部に仕分けして排出させる制御手段とを含むことを特徴とする。
【００１０】
【作用】
上記の構成では、プレゼンテーションモードが設定されている場合、原稿画像が形成された第１種類のシートを排出部に排出するとともに、原稿画像が形成された必要部数の第２種類のシートを上記排出部以外の排出部に仕分けして排出する。
【００１１】
特に、プレゼンテーションモードおよび両面モードがともに設定されている場合において、第２種類のシートに原稿画像を形成するときには、上記第２種類のシートの両面に原稿画像がそれぞれ形成される。この第２種類のシートの両面への原稿画像の形成は、たとえば、第２種類のシートの一面に原稿画像を形成した後当該第２種類のシートを中間トレイに収容し、次の原稿画像を上記中間トレイに収容されている第２種類のシートの他面に形成して排出部に排出させることによって達成される。
【００１２】
このように、上記構成によれば、プレゼンテーションモードとともに両面モードを設定した場合には、第２種類のシートの両面に原稿が形成されるので、第２種類のシートを有効的に利用できる。
【００１３】
【実施例】
図１は、この発明の画像形成装置が適用されたコピー機の構成例を示す概略図である。このコピー機は、コピー機本体１と、コピー機本体１の上面に装着された自動原稿供給装置（以下「ＲＤＨ」という）２と、コピー機本体１から排出されるコピー紙を複数のビンＴＮ，Ｔ１，Ｔ２，・・・，Ｔｍ（以下総称するときは「ビンＴ」という）に仕分けして排出するためのソータ３と、上記ビンＴに排出されたコピー紙をまとめてスタック部Ｄにスタックするスタッカー４とを備えている。
【００１４】
コピー機本体１の上面には、透明な原稿台１０が配置されている。コピーを行う際には、コピーすべき原稿を原稿台１０の画像形成位置（露光位置）Ｊに載置して行う。
ＲＤＨ２は、上記原稿台１０の画像形成位置Ｊに原稿を自動的に供給するための装置である。ＲＤＨ２には、原稿セット位置２１にセットされた原稿を下側から１枚ずつ取出して原稿台１０に連なる給紙経路２２を介して画像形成位置Ｊに供給するための給紙ローラ２３，２４，２５および搬送ベルト２６が備えられている。
【００１５】
また、ＲＤＨ２には、両面原稿をコピー紙の両面にコピーする両面コピーモードを実行する際、または両面原稿を２枚のコピー紙にそれぞれ分割してコピーする分割コピーモードを実行する際、コピーの終了した両面原稿を反転させ、両面原稿を画像形成位置Ｊに再供給するための反転ローラ３３が備えられている。片面コピーの終了した両面原稿は、搬送ベルト２６によって給紙経路２２に返送され、給紙ローラ２５が逆転され、かつ分離爪３４が給紙経路２２側を塞ぐことによって、反転経路３５に導かれる。反転経路３５に導かれた両面原稿は、反転ローラ３３の回転によって反転経路３５を進み、画像形成位置Ｊに導かれる。
【００１６】
原稿台１０上の原稿は搬送ベルト２６によって搬送される。コピーの終了した原稿は、排紙ローラ２７によって排紙経路２８に導かれ、中継ローラ２９および排紙ローラ３０を介して、原稿排紙位置３１に排出される。原稿排紙位置３１に上記原稿セット位置２１にセットされたすべての原稿が排出されたときには、当該すべての原稿が原稿送り板３２によって原稿セット位置２１に自動的に再セットされる。
【００１７】
コピー機本体１の内部には、原稿読取部３６が設けられている。この原稿読取部３６は、原稿台１０の画像形成位置Ｊに提示された原稿を照明しつつ走査するための光源３７を備えている。光源３７は、図外の光学系モータからの駆動力を得て原稿台１０に沿って図１の左右方向に往復駆動される。光源３７から発生した光は、画像形成位置Ｊに載置された原稿によって反射される。原稿からの反射光は、光源３７と一体的に駆動される第１反射鏡３８で反射され、さらに第２反射鏡３９，第３反射鏡４０，第４反射鏡４１，第５反射鏡４２および第６反射鏡４３で反射され、画像形成部４４に備えられた感光体ドラム４５に照射される。第２反射鏡３９および第３反射鏡４０は、光源３７が駆動されるときに、その１／２の速度で図１の左右方向に駆動される。これにより、光源３７からの光によって原稿が走査される過程で光源３７から感光体ドラム４５に至る光路長は終始一定に保持される。第３反射鏡４０と第４反射鏡４１との間には、原稿像を感光体ドラム４５に結像させるためのズームレンズ４６が配置されている。
【００１８】
画像形成部４４は、コピー時において一定速度で回転駆動される上述の感光体ドラム４５と、この感光体ドラム４５の周囲にその回転方向に従って順に配置されたメインチャージャ４７，現像装置４８，転写チャージャ４９，分離チャージャ５０およびクリーニング装置５１を備えている。
感光体ドラム４５の表面はメインチャージャ４７によって一様に帯電された後に原稿からの反射光による露光を受ける。その結果、感光体ドラム４５の表面には、原稿の反転像に対応した静電潜像が形成される。この静電潜像は、現像装置４８においてトナーホッパ５２から供給されているトナーによってトナー像に現像される。このトナー像は、転写チャージャ４９においてコピー紙に転写される。トナー像が転写された後の感光体ドラム４５の表面に残留するトナーは、クーニング装置５１によって除去される。分離チャージャ５０は、感光体ドラム４５の表面からコピー紙を分離するためのものである。なお、上記メインチャージャ４７，転写チャージャ４９および分離チャージャ５０は、それぞれコロナ放電を生じさせることによって各機能を実現する。
【００１９】
なお、以下では、上記原稿読取部３６および画像形成部４４を総称するときには、「コピー動作部」という。
画像形成部４４におけるコピー動作に同期して、上段デッキ５３Ａ，中段デッキ５３Ｂ，下段デッキ５３Ｃ，大容量デッキ５４，および手差しトレイ５５（以下総称するときは「上段デッキ５３Ａ等」という）からコピー紙が給紙される。上段デッキ５３Ａ，中段デッキ５３Ｂおよび下段デッキ５３Ｃには、相互に異なるサイズのコピー紙が収納されている。また、大容量デッキ５４には、特に利用頻度の高いサイズのコピー紙が大量に収納されている。
【００２０】
上段デッキ５３Ａ，中段デッキ５３Ｂ，下段デッキ５３Ｃ，大容量デッキ５４，および手差しトレイ５５にそれぞれ関連して、コピー紙を１枚ずつ取出すための給紙ローラ５６Ａ，５６Ｂ，５６Ｃ，５７，５８が設けられている。コピー時には、いずれかの給紙ローラ５６Ａ，５６Ｂ，５６Ｃ，５７，５８が回転駆動される。その結果、上段デッキ５３Ａ等のいずれかから、コピー紙が中継ローラ５９を介して感光体ドラム４５近傍まで延設されている用紙搬送路６０に導かれる。
【００２１】
用紙搬送路６０の感光体ドラム４５の近傍位置には、一対のレジストローラ６１が配置されている。このレジストローラ６１は、コピー紙をいったん停止させた後に、感光体ドラム４５の回転とタイミングを合わせて感光体ドラム４５に向けて給紙する。これにより、コピー紙は、転写チャージャ４９の位置において感光体ドラム４５の表面にトナー像と位置合わせされるタイミングで、感光体ドラム４５に向けて給紙される。
【００２２】
転写チャージャ４９の働きによってトナー像が転写されたコピー紙は、分離チャージャ５０の働きによって感光体ドラム４５の表面から分離された後、搬送ベルト６２によって定着装置６３に導かれる。定着装置６３は、トナーをコピー紙に定着させる。定着処理後のコピー紙は、搬送ローラ６４および排紙ローラ６５によって搬送されてソータ３に導かれる。
【００２３】
搬送ローラ６４と排紙ローラ６５との間のコピー紙が搬送される経路には、定着処理後のコピー紙を反転するための反転経路６６，およびコピー機本体１の中央部に設けられ中間トレイ６７にコピー紙を搬送するための搬送ローラ７０が適当な間隔で配置された中間経路６８が分岐接続されている。上記中間トレイ６７は、上記両面コピーモードまたは分割コピーモードを実行する際に用いられるものである。
【００２４】
定着処理後のコピー紙は、図示しない分離爪および反転ローラ６９の働きによっていったん反転経路６６に導かれた後、反転ローラ６９が逆転することによって中間経路６８に導かれる。そして、中間トレイ６７に収容される。中間トレイ６７に収納されたコピー紙は、給紙ローラ７１，７２によって１枚ずつ取出され、用紙搬送路６０に合流している搬送路７３に導かれる。そして、用紙搬送路６０を通って再度感光体ドラム４５に導かれる。
【００２５】
なお、以下では、給紙ローラ５６Ａ，５６Ｂ，５６Ｃ，５７，５８，７１，７２、中継ローラ５９、レジストローラ６１、搬送ローラ６４，７０、排紙ローラ６５を総称するときには、「コピー紙給紙部」という。
ソータ３には、上述のように、複数のビンＴが備えられている。排紙ローラ６５によって排出されるコピー紙は、排紙経路７４に導かれ、図示しない仕分け機構によって所定のビンＴに導かれる。上記複数のビンＴのうち、ビンＴＮはコピー後のコピー紙を仕分けしないで排出するときに用いられるノンソートビンである。そして、コピー後のコピー紙を仕分けして排出する場合には、残余のビンＴ１，Ｔ２，・・・，Ｔｍがソートビンとして用いられる。
【００２６】
ソータ３にはまた、ソートビンＴ１，Ｔ２，・・・，Ｔｍに導かれた複数枚のコピー紙にパンチ穴を空けるパンチ処理、または上記複数枚のコピー紙をホッチキスで留めるステイプル処理を実行するパンチ／ステイプルユニット７５が備えられている。一方、上記ソートビンＴ１，Ｔ２，・・・，Ｔｍは、図１の上下方向に移動可能とされている。パンチ処理またはステイプル処理を行う際には、パンチ処理またはステイプル処理を施すべきコピー紙が収容されているソートビンＴ１，Ｔ２，・・・，Ｔｍを上記パンチ／ステイプルユニット７５に対応する位置に移動させる。
【００２７】
スタッカー４は、このパンチ／ステイプルユニット７５によってステイプル処理が施されたコピー紙をスタック部Ｄにスタックするためのものである。ステイプル処理が施されたコピー紙は、スタッカー４に備えられている取出装置７６によって取出され、スタック部Ｄに導かれる。
なお、以下では、上記パンチ処理，ステイプル処理およびスタック処理を総称するときには、「後処理」といい、この後処理を行うためのソートビンＴ１，Ｔ２，・・・，Ｔｍを駆動すべきソートビン駆動部、パンチ／ステイプルユニット７５を駆動すべきパンチ／ステイプル駆動部、取出装置７６を駆動すべき取出装置駆動部を含む電気的部品を総称して、「後処理部」という。
【００２８】
この実施例のコピー機では、通常のコピー紙である第２種類のシートとしての普通紙をコピー紙として用いることができる他、第１種類のシートであるＯＨＰ用の透明シート（ＯＨＰシート）をコピー紙として用いることができる。そして、ＯＨＰシートをコピー紙として用いる場合には、コピー後のＯＨＰシートのうら面側に合紙を添付するための「ＯＨＰ＋合紙」モードを設定することができる。この場合、ＯＨＰシートは手差しトレイ５５から給紙され、合紙は上段デッキ５３Ａ，中段デッキ５３Ｂ，下段デッキ５３Ｃまたは大容量デッキ５４のいずれかから給紙される。原稿画像がコピーされたＯＨＰシートは合紙とともにノンソートビンＴＮに排出される。
【００２９】
また、上記「ＯＨＰ＋合紙」モードの他に、ＯＨＰシートに原稿画像をコピーするのと同時に普通紙にも原稿画像をコピーするＯＨＰプレゼンテーションモードを設定することもできる。この場合には、原稿画像がコピーされたＯＨＰシートは合紙とともにノンソートビンＴＮに排出され、原稿画像がコピーされた普通紙はソートビンＴ１，Ｔ２，・・・，Ｔｍに仕分けして排出される。
【００３０】
図２は、上記図１では図示していないが、上記コピー機の前面上部に備えられている操作部の外観構成例を示す正面図である。
この操作部Ｓには、中央付近に液晶表示素子（ＬＣＤ）などで構成された表示部１００が配置されている。表示部１００の図２における左側には、「ＯＨＰ＋合紙」モードまたはＯＨＰプレゼンテーションモードを設定する際に押圧するためのＯＨＰコピーキー１０１、両面コピーモードを設定する際に押圧するための両面コピーキー１０２，分割コピーモードを設定する際に押圧するための分割コピーキー１０３が配置されている。
【００３１】
また、表示部１００の図２における下側には、表示部１００に表示されている複数の選択肢のうちいずれかの選択肢を設定するための複数のモード設定キー１０４が配置されている。上記表示部１００に表示されるべき選択肢は各モード設定キー１０４にそれぞれ相対する位置に表示される。選択肢の設定は、設定すべき選択肢に相対する位置のモード設定キー１０４を押圧することによって達成される。
【００３２】
さらに、表示部１００の図２における右側には、ＯＨＰシートや普通紙に同一原稿をコピーすべきコピー枚数をセットすることができるテンキー１０５およびコピー開始を指示するためのプリントキー１０６が配置されている。
図３は、上記コピー機の電気的構成を示すブロック図であって、主にコピー機本体１とソータ３との電気的接続関係を示すものである。
【００３３】
コピー機本体１には、ＣＰＵ，ＲＯＭ，ＲＡＭを含むマイクロコンピュータで構成された本体制御部２００が備えられている。この本体制御部２００には、後述するように、ＯＨＰシートへのコピー回数をカウントするためのカウンタＣ１、および普通紙へのコピー回数をカウントするためのカウンタＣ２がそれぞれ備えられている。この本体制御部２００には、制御対象として、上記操作部Ｓ、コピー動作部２０１およびコピー紙給紙部２０２がそれぞれ接続されている。
【００３４】
一方、ソータ３には、上記本体制御部２００と同じくマイクロコンピュータで構成されたソータ制御部２０３が備えられている。このソータ制御部２０３における動作は上記本体制御部２００によって制御される。ソータ制御部２０３には、制御対象として、原稿画像がコピーされたコピー紙をノンソートビンＴＮ、またはソートビンＴ１，Ｔ２，・・・，Ｔｍのいずれかに排出するための仕分け機構２０４、および後処理部２０５が接続されている。
【００３５】
図４および図５は、上記「ＯＨＰ＋合紙」モードまたはＯＨＰプレゼンテーションモードの設定時における本体制御部２００の動作を説明するためのフローチャートである。また、図６ないし図１３は、上記いずれかのモードの設定時における表示部１００の表示画面の流れを示す図である。
先ず、図４、図６および図７を参照して、「ＯＨＰ＋合紙」モードの設定時における処理の流れを説明する。
【００３６】
表示画面が図６(a) に示すコピー待機画面である場合において、たとえばオペレータによってＯＨＰコピーキー１０１が押圧されると（図４のステップＳ１のＹＥＳに対応）、表示画面は、図６(b) に示すように、「ＯＨＰのモードを選んで下さい。」というメッセージを含む、「ＯＨＰ＋合紙」および「プレゼンテーション」が選択肢とされた画面に切換わる（図４のステップＳ２に対応）。この状態において、「ＯＨＰ＋合紙」がモード設定キー１０４が押圧されて設定されると（図４のステップＳ２のＮＯに対応）、表示画面は、図６(c) に示すように、「設定終了」というメッセージを含む、「ＯＨＰ＋合紙」の選択肢が黒反転された画面に切換わる。これにより、「ＯＨＰ＋合紙」モードが設定されることになる。
【００３７】
その後、表示画面は、図６(d) に示すように、「ＯＨＰ＋合紙モードです。合紙のモードを選んで下さい。」というメッセージを含む、「コピー合紙」および「白紙の合紙」が選択肢とされた画面に切換わる（図４のステップＳ３に対応）。この画面では、ＯＨＰシートに添付すべき合紙に原稿画像をコピーさせるか白紙のままにしておくかを選択できる。上記画面において、たとえば「白紙の合紙」がモード設定キー１０４が押圧されて設定されると（図４のステップＳ３のＮＯに対応）、表示画面は、図６(e) に示すように、「設定終了」というメッセージを含む、「白紙の合紙」の選択肢が黒反転された画面に切換わる（図４のステップＳ５に対応）。
【００３８】
その後、表示画面は、図７(a) に示すように、「原稿の種類を選んで下さい。」というメッセージを含む、「片面原稿」および「両面原稿」が選択肢とされた画面に切換わる（図４のステップＳ６に対応）。この画面において、たとえば「両面原稿」がモード設定キー１０４が押圧されて設定されると、表示画面は、図７(b) に示すように、「設定終了」というメッセージを含む、「両面原稿」の選択肢が黒反転された画面に切換わる（図４のステップＳ８に対応）。その後、表示画面は、図７(c) に示すように、通常のコピー待機画面に切換わる。
【００３９】
なお、図７(b) には示されていないが、たとえば図４のステップＳ９に示すように、原稿の種類を選択する際に「BOOK原稿」も選択肢の１つとしてもよい。
次に、図４、図５、図８および図９を参照して、普通紙の片面に原稿画像をコピーさせる場合のＯＨＰプレゼンテーションモードの設定時における処理の流れを説明する。
【００４０】
図８(a) に示すコピー待機画面においてＯＨＰコピーキー１０１が押圧されて切換わった図８(b) に示す画面において、「プレゼンテーション」の選択肢がモード設定キー１０４が押圧されて設定されると（図４のステップＳ２のＹＥＳに対応）、表示画面は、図８(c) に示すように、「設定終了」というメッセージを含む、「プレゼンテーション」の選択肢が黒反転した画面に切換わる。これにより、ＯＨＰプレゼンテーションモードが設定されることになる。
【００４１】
その後、表示画面は、図８(d) に示すように、「プレゼンテーションモードです。合紙のモードを選んで下さい。」というメッセージを含む、合紙のモードを選択すべき画面に切換わる（図５のステップＳ１０に対応）。この画面において、「白紙の合紙」の選択肢が設定されると（図５のステップＳ１０のＮＯに対応）、図８(e) に示すように、「設定終了」というメッセージを含む、「白紙の合紙」が黒反転された画面に切換わる（図５のステップＳ１２に対応）。
【００４２】
その後、上記図８(b) に示す画面において「プレゼンテーション」が設定されたことに伴い、普通紙へのコピー形態を設定するため、表示画面は、図９(a) に示すように、「プレゼンテーションのコピーモードを選んで下さい。」というメッセージを含む、普通紙の片面に原稿画像をコピーさせる「片面コピー」、普通紙の両面に原稿画像をコピーさせる「両面コピー」、および「分割コピー」が選択肢とされた画面に切換わる（図４のステップＳ１３に対応）。この画面において、たとえば「片面コピー」が設定されると、表示画面は、図９(b) に示すように、「設定終了」というメッセージを含む、「片面コピー」の選択肢が黒反転された画面に切換わる（図５のステップＳ１４に対応）。そして、図９(c) に示す通常のコピー待機画面に切換わる。
【００４３】
次に、図５、図１０および図１１を参照して、普通紙の両面に原稿画像をコピーさせる場合のＯＨＰプレゼンテーションモードの設定時における処理の流れを説明する。なお、図１０に示す流れは上記図８と全く同様なので、図１０に示す手順の説明は省略し、図１１に示す手順から説明する。
表示画面が図１１(a) に示す普通紙へのコピー形態を設定すべき画面である場合において、たとえば「両面コピー」が設定されると、表示画面は、図１１(b) に示すように、「設定終了」というメッセージを含む、「両面コピー」の選択肢が黒反転された画面に切換わる。その後、両面コピーモードの中のいずれかのパターンを設定するための画面に切換わる。すなわち、図１１(c) に示すように、「両面コピーモードを選んで下さい。」というメッセージを含む、両面原稿画像をコピー紙の両面にコピーさせる「両面→両面」、カウントしながら片面原稿画像をコピー紙の両面にコピーさせる「カウント有  片面→両面」、カウントせずに片面原稿画像をコピー紙の両面にコピーさせる「カウント無  片面→両面」、およびブック物原稿画像をコピー紙の両面にコピーさせる「BOOK→両面」が選択肢とされている画面に切換わる（図５のステップＳ１５に対応）。この画面において、たとえば「両面→両面」が設定されると、表示画面は、図１１(d) に示すように、「設定終了」というメッセージを含む、「両面→両面」の選択肢が黒反転された画面（図４のステップＳ１６に対応）に切換わった後、図１１(e) に示す通常のコピー待機画面に切換わる。これにより、両面コピーモードおよびＯＨＰプレゼンテーションモードがともに設定されたことになる。
【００４４】
次に、図５、図１２および図１３を参照して、両面原稿画像またはブック物原稿画像を２枚の普通紙に分割してコピーさせる場合のＯＨＰプレゼンテーションモードの設定時における処理の流れを説明する。なお、図１２に示す手順は上記図８および図１０と全く同様なので、図１２に示す手順の説明は省略し、図１３に示す手順から説明する。
【００４５】
表示画面が図１３(a) に示す普通紙へのコピー形態を設定すべき画面である場合において、たとえば「分割コピー」が設定されると、表示画面は、図１３(b) に示すように、「設定終了」というメッセージを含む、「分割コピー」の選択肢が黒反転された画面に切換わる。その後、分割コピーモードの中のいずれかのパターンを設定するための画面に切換わる。すなわち、図１３(c) に示すように、「分割コピーモードを選んで下さい。」というメッセージを含む、両面原稿画像を２枚のコピー紙に分割してコピーさせる「両面→片面」、およびブック物原稿画像を２枚のコピー紙に分割してコピーさせる「BOOK→片面」が選択肢とされている画面に切換わる（図５のステップＳ１９に対応）。この画面において、たとえば「両面→片面」が設定されると、表示画面は、図１３(d) に示すように、「設定終了」というメッセージを含む、「両面→片面」の選択肢が黒反転された画面（図４のステップＳ１８に対応）に切換わった後、図１３(e) に示す通常のコピー待機画面に切換わる。
【００４６】
上記図７(c) 、図９(c) 、図１１(e) および図１３(e) に示すコピー待機画面において、たとえばオペレータによってプリントキー１０６が押圧されると、「ＯＨＰ＋合紙」モード、またはＯＨＰプレゼンテーションモードの実行が開始される。
図１４および図１５は、上記コピー機における動作を説明するためのフローチャートである。このフローチャートの動作は、本体制御部２００において実行される。なお、このフローチャートでは、原稿として両面原稿を使用する場合を想定している。
【００４７】
図１４において、ＲＤＨ２の原稿セット位置２１に両面原稿がセットされ、ＯＨＰコピーキー１０１が押圧されて「ＯＨＰ＋合紙」モードまたはＯＨＰプレゼンテーションモードが設定され、かつプリントキー１０６が押圧されると、先ず、原稿として両面原稿がセットされているか否かを判別し（ステップＰ１）、両面原稿であれば、原稿を反転させてうら面から画像形成位置Ｊに供給する（ステップＰ３）。一方、この実施例では想定していないが、両面原稿でなければ、そのまま原稿をおもて面から画像形成位置Ｊに供給する（ステップＰ２）。
【００４８】
その後、ＯＨＰシートに添付すべき合紙に原稿画像をコピーさせると設定されているか否かを判別する（ステップＰ４）。その結果、コピーさせると設定されていれば、コピー紙給紙部２０２およびコピー動作部２０１を制御し、合紙を取込み、当該合紙に上記原稿画像をコピーさせてノンソートビンＴＮに排出する（ステップＰ５）。一方、コピーさせないと設定されていれば、取込まれた合紙に原稿画像をコピーさせないでそのままノンソートビンＴＮに排出する（ステップＰ６）。その後、手差しトレイ５５からＯＨＰシートを取込み、当該ＯＨＰシートに原稿画像をコピーして、当該ＯＨＰシートをノンソートビンＴＮに排出する（ステップＰ７）。その結果、合紙をうら面側に添付させた状態で原稿画像がコピーされたＯＨＰシートを得ることができる。
【００４９】
本体制御部２００は、上記ステップＰ７の処理に関連して、ＯＨＰシートのコピー枚数をカウントするためのカウンタＣ１のカウント値Ｃ1 をインクリメントする（ステップＰ８）。そして、このカウント値Ｃ1 が上記モード設定時に表示画面上で設定した同一原稿をＯＨＰシートにコピーすべきセット枚数Ｎ1 に達したか否かを判別する（ステップＰ９）。その結果、カウント値Ｃ1 はセット枚数Ｎ1 に達していないと判別されると、上記ステップＰ４〜Ｐ８の動作が繰り返し行われる。
【００５０】
ここで、原稿画像がコピーされたＯＨＰシートは、何らかのプレゼンテーション（集会）に用いられるので、上記セット枚数Ｎ1 は、通常、Ｎ1 ＝１と設定される。したがって、上記動作の繰り返しはなく１回で終了するのが通常である。上記ステップＰ９での判別の結果、カウント値Ｃ1 がセット枚数Ｎ1 に達したと判別されると、「ＯＨＰ＋合紙」モードおよびＯＨＰプレゼンテーションモードのうち、ＯＨＰプレゼンテーションモードが設定されているか否かが判別される（ステップＰ１０）。その結果、ＯＨＰプレゼンテーションモードが設定されていると判別されると、図１５のステップＰ１１に移行し、「ＯＨＰ＋合紙」モードが設定されていると判別されると、図１５のステップＰ１８に移行する。
【００５１】
上記ステップＰ１０での判別の結果、ＯＨＰプレゼンテーションモードではなく「ＯＨＰ＋合紙」モードが設定されていると判別されると、上記原稿画像を普通紙にコピーする必要はないので、両面原稿を反転させて再供給すべきか、あるいは新たな原稿を供給すべきかを判断するため、今回のコピーは原稿のうら面画像のコピーであるか否かを判別する（ステップＰ１８）。最初は、うら面画像のコピーであるので、次に原稿を反転させて再供給し（ステップＰ１９）、上記ステップＰ４〜Ｐ９の処理を繰り返す。このステップＰ４〜Ｐ９の処理を繰り返した結果、上記ステップＰ１８では今回のコピーはおもて面画像のコピーであると判別されるので、次にコピーすべき原稿があるか否かを判別する（ステップＰ２０）。その結果、コピーすべき原稿がある場合には、上記ステップＰ１〜Ｐ９の処理を繰り返す。そして、以上の処理をコピーすべき原稿がなくなるまで繰り返し行う。
【００５２】
一方、上記ステップＰ１０での判別の結果、ＯＨＰプレゼンテーションモードが設定されていると判別されると、さらに普通紙にも原稿画像をコピーさせる必要があるので、その普通紙へのコピー形態を確認するため、ステップＰ１１において、普通紙の両面にコピーさせるか否かを判別する。
その結果、両面にコピーさせない、すなわち片面コピーモードが設定されていると判別されると、上段デッキ５３Ａ，中段デッキ５３Ｂ，下段デッキ５３Ｃまたは大容量デッキ５４から普通紙を取込み、当該普通紙の片面に原稿画像をコピーしてソートビンＴ１，Ｔ２，・・・，Ｔｍのいずれかに排出する（ステップＰ２１）。このとき、同一原稿の普通紙へのコピー枚数をカウントすべきカウンタＣ２のカウント値Ｃ2 をインクリメントする（ステップＰ２２）。そして、このカウント値Ｃ2 が上記モード設定時に表示画面上で設定した同一原稿を普通紙にコピーすべきセット枚数Ｎ2 に達したか否かを判別し（ステップＰ２３）、カウント値Ｃ2 がセット枚数Ｎ2 に達するまで、上記ステップＰ２１〜Ｐ２２の処理を繰り返す。
【００５３】
なお、このとき、上記ステップＰ２１〜Ｐ２２の処理を繰り返すたびに、普通紙を排出すべきソートビンＴ１，Ｔ２，・・・，Ｔｍを順に変えていく。一方、上記セット枚数Ｎ2 は、通常、集会の参加人数分にセットされる。したがって、同一原稿が片面にのみコピーされた集会の参加人数分の普通紙をそれぞれソートビンＴ１，Ｔ２，・・・，Ｔｍに仕分けして得ることができる。
【００５４】
上記処理を繰り返した結果、カウント値Ｃ2 がセット枚数Ｎ2 に達すると、次に今回のコピーが原稿のうら面画像のコピーであるか否かを判別し（ステップＰ１８）、最初はうら面画像のコピーであるので原稿を反転させて再供給し（ステップＰ１９）、上記ステップＰ４〜Ｐ１１、Ｐ２１〜Ｐ２３の処理を繰り返し行う。そして、以上の処理をコピーすべき原稿がなくなるまで繰り返し行う。
【００５５】
上記ステップＰ１１での判別の結果、普通紙の両面にコピーさせると設定されていると判別されると、先ず、中間トレイ６７に普通紙が収容されているか否かを判別する（ステップＰ１２）。
その結果、中間トレイ６７に普通紙が収容されていないと判別されると、上段デッキ５３Ａ，中段デッキ５３Ｂ，下段デッキ５３Ｃまたは大容量デッキ５４から普通紙を取込み、当該普通紙に原稿画像をコピーして中間トレイ６７に収容する（ステップＰ１３）。このとき、上記ステップＰ２２と同様に、カウンタＣ２のカウント値Ｃ2 をインクリメントする（ステップＰ１４）。そして、このカウント値Ｃ2 がセット枚数Ｎ2 に達したか否かを判別し（ステップＰ１５）、カウント値Ｃ2 がセット枚数Ｎ2 に達するまで、上記ステップＰ１３〜Ｐ１４の処理を繰り返す。その結果、中間トレイ６７には、片面がコピーされたセット枚数Ｎ2 分の普通紙が収容されることになる。
【００５６】
そして、ステップＰ１８において今回のコピーはうら面画像のコピーであるか否かを判別し、最初はうら面画像のコピーであるので、ステップＰ１９において原稿を反転させて再供給し、原稿のおもて面画像に対する上記ステップＰ４〜Ｐ１５の処理を繰り返す。このステップＰ４〜Ｐ１５の処理を繰り返した結果、上記ステップＰ１２では、中間トレイ６７に普通紙が収容されていると判別されることになる。
【００５７】
上記ステップＰ１２での判別の結果、中間トレイ６７に普通紙が収容されていると判別されると、この中間トレイ６７から普通紙を１枚取出し、当該普通紙の原稿画像が形成されている面以外の面にに原稿画像をコピーした後、当該普通紙をソートビンＴ１，Ｔ２，・・・，Ｔｍのいずれかに排出する（ステップＰ１６）。そして、この処理を中間トレイ６７に収容されている普通紙がなくなるまで繰り返し行う（ステップＰ１７）。
【００５８】
なお、このとき、上記ステップＰ１６〜Ｐ１７の処理を繰り返すたびに、普通紙を排出すべきソートビンＴ１，Ｔ２，・・・，Ｔｍを順に変えていく。
中間トレイ６７には、上述のように、片面がコピーされたセット枚数Ｎ2 分の普通紙が収容されている。したがって、このステップＰ１６〜Ｐ１７の処理を繰り返した結果、両面に異なる原稿画像がコピーされたセット枚数Ｎ2 分の普通紙を各ソートビンＴ１，Ｔ２，・・・，Ｔｍにそれぞれ仕分けして得ることができる。
【００５９】
そして、以上の処理を原稿セット位置２１にセットされた原稿がなくなるまで繰り返し行う。
以上のようにこの実施例のコピー機によれば、ＯＨＰプレゼンテーションモード、および片面コピーモードが設定されている場合には、普通紙に原稿画像をコピーする際、普通紙の片面にのみコピーさせ、ＯＨＰプレゼンテーションモード、および両面コピーモードが設定されている場合には、普通紙に原稿画像をコピーする際、普通紙の両面にコピーさせているので、ユーザの要望に応じた形態で原稿画像を普通紙にコピーさせることができる。そのため、ユーザへのサービスの向上を図ることができる。
【００６０】
しかも、ＯＨＰプレゼンテーションモード、および両面コピーモードが設定されている場合には、普通紙の両面にコピーさせることができるので、普通紙を有効的に利用できる。そのため、普通紙を節約することができる。
この発明の実施例の説明は以上のとおりであるが、この発明は上述の実施例に限定されるものではない。たとえば上記実施例では、この発明をコピー機に適用した場合を例にとって説明しているが、この発明は、たとえばレーザプリンタなど他の画像形成装置にも適用可能である。
【００６１】
その他この発明の範囲内において種々の設計変更を施すことは可能である。
【００６２】
【発明の効果】
以上のようにこの発明の画像形成装置によれば、第２種類のシートに原稿画像を形成する場合において、プレゼンテーションモードが設定されているときには第２種類のシートの片面にのみ原稿画像が形成され、プレゼンテーショモードおよび両面モードがともに設定されているときには第２種類のシートの両面に原稿が形成されるので、モードを選択することによってユーザの要望に応じた形態で原稿画像を第２種類のシートに形成することができる。そのため、ユーザへのサービスの向上を図ることができる。
【００６３】
しかも、プレゼンテーションモードとともに両面モードを設定した場合には、第２種類のシートの両面に原稿画像を形成できるので、第２種類のシートを有効的に利用できる。そのため、第２種類のシートを節約できる。
【図面の簡単な説明】
【図１】この発明の画像形成装置が適用されたコピー機の内部構成例を示す概略図である。
【図２】上記コピー機に備えられている操作部の外観構成例を示す正面図である。
【図３】上記コピー機の電気的構成を示すブロック図であって、特にコピー機本体とソータとの電気的接続関係を示すものである。
【図４】上記コピー機における「ＯＨＰ＋合紙」モードまたはＯＨＰプレゼンテーションモードの設定を説明するためのフローチャートである。
【図５】同じく、上記コピー機における「ＯＨＰ＋合紙」モードまたはＯＨＰプレゼンテーションモードの設定を説明するためのフローチャートである。
【図６】「ＯＨＰ＋合紙」モードの設定時における表示画面の流れを示す図である。
【図７】同じく、「ＯＨＰ＋合紙」モードの設定時における表示画面の流れを示す図である。
【図８】普通紙の片面にのみ原稿画像をコピーさせる場合のＯＨＰプレゼンテーションモードの設定時における表示画面の流れを示す図である。
【図９】同じく、普通紙の片面にのみ原稿画像をコピーさせる場合のＯＨＰプレゼンテーションモードの設定時における表示画面の流れを示す図である。
【図１０】普通紙の両面に原稿画像をコピーさせる場合のＯＨＰプレゼンテーションモードの設定時における表示画面の流れを示す図である。
【図１１】同じく、普通紙の両面に原稿画像をコピーさせる場合のＯＨＰプレゼンテーションモードの設定時における表示画面の流れを示す図である。
【図１２】両面原稿画像またはブック物原稿画像を２枚の普通紙に分割してコピーさせる場合のＯＨＰプレゼンテーションモードの設定時における表示画面の流れを示す図である。
【図１３】同じく、両面原稿画像またはブック物原稿画像を２枚の普通紙に分割してコピーさせる場合のＯＨＰプレゼンテーションモードの設定時における表示画面の流れを示す図である。
【図１４】上記コピー機における動作を説明するためのフローチャートであって、主にＯＨＰプレゼンテーションモードが設定された場合におけるコピー機の動作を説明するためのものである。
【図１５】同じく、上記コピー機における動作を説明するためのフローチャートであって、主にＯＨＰプレゼンテーションモードが設定された場合におけるコピー機の動作を説明するためのものである。
【符号の説明】
１      コピー機本体
３      ソータ
３６    原稿読取部
４４    画像形成部
６７    中間トレイ
１００  表示部
１０１  ＯＨＰコピーキー
１０４  モード設定キー
２００  本体制御部
Ｃ１，Ｃ２  カウンタ
Ｓ      操作部
Ｔ      ビン
ＴＮ    ノンソートビン
Ｔ１，Ｔ２，・・・，Ｔｍ  ソートビン
【図１】
0003786444.tif 000002
【図２】
0003786444.tif 000003
【図３】
0003786444.tif 000004
【図４】
0003786444.tif 000005
【図５】
0003786444.tif 000006
【図６】
0003786444.tif 000007
【図７】
0003786444.tif 000008
【図８】
0003786444.tif 000009
【図９】
0003786444.tif 000010
【図１０】
0003786444.tif 000011
【図１１】
0003786444.tif 000012
【図１２】
0003786444.tif 000013
【図１３】
0003786444.tif 000014
【図１４】
0003786444.tif 000015
【図１５】
0003786444.tif 000016